(57)【要約】【課題】  省スペース性や設置の自由度に優れ、例えば生花をその多少に関わらず見栄え良くできる花台を提供する。【解決手段】  設置面に立設され、有底筒状の花桶を脱着可能に取り付ける筒状の花台であって、前記花台は、側面に、内部の空間と連絡する開口部を有し、前記開口部の上縁には、下方に向けて突出する舌片が設けられている。前記花桶が前記花台に取り付けられた状態において、前記花桶における側面の一部が前記開口部から前記花台の前記内部に挿入され、前記花桶の底部が前記開口部の下縁によって支えられ、前記花桶における上端の内面に前記舌片が掛止される。【選択図】  図１
2015104625.tif 000002
【特許請求の範囲】
【請求項１】
設置面に立設され、有底筒状の花桶を脱着可能に取り付ける筒状の花台であって、
前記花台は、側面に、内部の空間と連絡する開口部を有し、
前記開口部の上縁には、下方に向けて突出する舌片が設けられ、
前記花桶が前記花台に取り付けられた状態において、前記花桶における側面の一部が前記開口部から前記花台の前記内部に挿入され、前記花桶の底部が前記開口部の下縁によって支えられ、前記花桶における上端の内面に前記舌片が掛止される
ことを特徴とする花台。
【請求項２】
前記花桶が前記花台に取り付けられた状態において、前記開口部における前記下縁の幅は、前記花桶における前記底部の幅よりも小さいことを特徴とする請求項１に記載の花台。
【請求項３】
前記開口部は、前記上縁から前記下縁に向けて幅が拡幅するように形成されていることを特徴とする請求項１または２に記載の花台。
【請求項４】
前記開口部は、前記花台の周方向に間隔を置いて複数設けられていることを特徴とする請求項１〜３のいずれかに記載の花台。
【請求項５】
前記花台の頂部に、前記花桶を底部から挿入して嵌め込むための孔が形成されていることを特徴とする請求項１〜４のいずれかに記載の花台。
【請求項６】
前記花台の下方内部に前記花桶を収容する空間が形成されていることを特徴とする請求項１〜５のいずれかに記載の花台。
【請求項７】
前記開口部における前記上縁の両端には、上端にフランジ状の鍔部が形成されている前記花桶が取り付けられるように、前記鍔部の輪郭形状に沿う切欠が形成されていることを特徴とする請求項１〜６のいずれかに記載の花台。
【発明の詳細な説明】
【技術分野】
【０００１】
本発明は、生花等を店頭において販売するために陳列するのに適した花台に関するものである。
【背景技術】
【０００２】
花が入った有底筒状の鉢（花桶）を店頭などで陳列するために壁面に取り付けられる吊り枠と、吊り枠に水平に支持される複数の鉢受台とを備えた壁掛け花台が知られている（例えば特許文献１及び２）。
【先行技術文献】
【特許文献】
【０００３】
【特許文献１】実開平３−１０１２６３号公報
【特許文献２】実開平３−１０６９７３号公報
【発明の概要】
【発明が解決しようとする課題】
【０００４】
しかしながら、このような壁掛け花台においては、設置場所が壁面に限定され、壁面のない場所では陳列物を陳列することができない。
【０００５】
そこで、本発明は、省スペース性や設置の自由度に優れ、陳列物の多少に関わらず陳列物を見栄え良く陳列できる花台を提供することを目的とする。
【課題を解決するための手段】
【０００６】
前述した課題を解決する本発明の第１の態様は、設置面に立設され、有底筒状の花桶を脱着可能に取り付ける筒状の花台であって、前記花台は、側面に、内部の空間と連絡する開口部を有し、前記開口部の上縁には、下方に向けて突出する舌片が設けられている。そして、前記花桶が前記花台に取り付けられた状態において、前記花桶における側面の一部が前記開口部から前記花台の前記内部に挿入され、前記花桶の底部が前記開口部の下縁によって支えられ、前記花桶における上端の内面に前記舌片が掛止される。
【０００７】
本発明の他の特徴については、明細書及び添付図面の記載により明らかとなる。
【発明の効果】
【０００８】
本発明に係る花台によれば、省スペース性や設置の自由度に優れ、花桶内の陳列物の多少に関わらず陳列物を見栄えよく陳列することができる。
【図面の簡単な説明】
【０００９】
【図１】本発明の実施形態における花台の斜視図である。
【図２】本発明の実施形態において用いられる花桶の斜視図である。
【図３】花台に花桶が取り付けられた状態の一例を示す斜視図である。
【図４】花台に花桶が取り付けられた状態の他の例を示す斜視図である。
【図５】花桶が積み重ねられた状態を示す斜視図である。
【図６】積み重ねられた花桶が花台に収容された状態を示す斜視図である。
【発明を実施するための形態】
【００１０】
以下に本発明の好適な実施形態について添付図面を参照にして詳細に説明する。
【００１１】
＝＝＝構成＝＝＝
図１及び図２は、それぞれ本実施形態における花台及び花桶を示す斜視図で、図３は花桶を花台に取り付けた状態を示す斜視図である。
【００１２】
花台１は、図１に示すように円筒状を呈し、例えば地面、床面及びテーブルの天面に立設される。花台１は、例えば、合成樹脂製の部材であって一体成型される。花台は、側面に、花台１の内部の空間と連絡する複数の開口部２を有する。本実施形態において、開口部２は４つ形成され、花台１の周方向に等間隔に形成されている。
【００１３】
花桶７は、図２に示すように、花などを入れる有底筒状の桶であって、底部から上縁に向かって径方向に拡幅するとともに、上縁にフランジ状の鍔部７ａを有し、花台の開口部２に着脱自在に取り付けられるもので、例えば合成樹脂から成形されたものである。
【００１４】
花台１の開口部２について図１を参照にして詳細に説明すると、開口部２は、上縁２ａ、下縁２ｂ、及び、上縁２ａと下縁２ｂの両端同士を繋ぐ側縁２ｃ，２ｄを含む。下縁２ｂは、花桶７が花台１に取り付けられた状態において花桶７の底部を支える部分であって、下縁２ｂの幅、つまり、下縁２ｂの両端の間の距離は、花桶７の底部の幅、つまり、花桶７の底部における外周面の径より小さい。また、上縁２ａと下縁２ｂとの間の距離、つまり、開口部２の高さは、花桶７の高さよりやや大きい。
【００１５】
開口部２の幅、つまり、側縁２ｃ，２ｄの間の距離は、下縁２ｂから上縁２ａに向かうにつれて縮小する。そして、上縁２ａの近傍において、開口部２の側縁２ｃ，２ｄは、上縁２ａの幅と略同じ幅にまで拡幅して、切欠部３を形成している。切欠部３は、花桶７が花台７に取り付けられた状態において花桶７の鍔部７ａに沿うような形状を呈している。したがって、花桶７は、花桶７の側面の一部が開口部２から花台１の内部に挿入された状態で、花台１に取り付けられる。なお、開口部２の幅は花桶７の幅より狭いから、花桶７は、花台１に取り付けられた状態において開口部２から花台１の内側に落ち込まない。
【００１６】
開口部２の上縁２ａには、下方に向けて突出する舌片４が設けられている。舌片４は、図３及び図４に示すように、花桶７が花台１に取り付けられた状態において、花桶７が花台１から外れないように花桶７の上端の内面を掛止する。舌片４は、花台１とは別部材として製作されて花台の内面に取り付けられてもよいし、花台１と一体的に形成されてもよい。
【００１７】
花台１の頂部には、円状の孔５が形成されている。この孔５は、花台１の頂部に花桶７の底部を挿入して、花桶７を花台１の頂部に嵌め込んで設置するためのものである。従って、孔５の径は、花桶７の底部における外面の径より大きく、かつ花桶７の鍔部７ａにおける外面の径より小さい。なお、孔５を形成するためには、リング状の部材を花台１の頂部に取り付けてもよいし、リング状の部分を花台１と一体成型してもよい。
【００１８】
花台１の下端は開口しており、この開口した空間内に使用しない花桶７を収納することが出来るようになっている。従って、花台１及び花桶７を使用しないときには、図５に示すように複数の花桶７を重ねたうえで、重ねられた花桶７の上方から花台１を被せるようにして、花桶７を花台１の内部に収容することが可能である。したがって、不使用のときには、図６に示すように、花台１及び花桶７をコンパクトに収納することができる。
【００１９】
また、花台１及び花桶７を販売目的等で搬送するときには複数の花桶７を重ねて花台１の下端の空間内に収納することができる。もちろんこの搬送の時には花桶７が花台１から下方に脱落しないように梱包することが好ましい。
【００２０】
＝＝＝使用方法＝＝＝  
＜花桶を花台に取り付ける方法＞  
図３及び図４は、花台に花桶が取り付けられた状態を示し、花桶の取付作業は次のようにして行われる。
【００２１】
まず、生花を陳列する場所、例えば地面、店舗の床面、店舗内のテーブルの天面に花台１を載置する。次に、複数の花桶７に生花と水を入れ、これらの花桶７を花台１の側部の開口部２に挿入することによって花台１に花桶７を取り付ける。具体的には、例えば、鍔部７ａが開口部２の側縁２ｃ，２ｄに接した状態で、花桶７を舌片４のやや下方から開口部２の上縁２ａに向けて持ち上げ、鍔部７ａを切欠き部３に嵌め込んだうえで、花桶７の底部を開口部２の下縁２ｂに載せる。この状態において、舌片４は、花桶７の上縁の内面に当接して、花桶７が花台１から外れないように花桶７を掛止する。
【００２２】
このようにして花桶７が花台１に取り付けられた状態では、花桶７の各周面部は、図３に示すように、花台１から離れた側が近い側より低くなるように垂直線に対して斜めに傾く。そのため、花桶７に入れられた花は、花台１から離れた側に集まるとともに、花台１から遠ざかる方向を向くように傾く。つまり、花は自ずと、花を見る顧客の方を向く。したがって、花桶７に入っている花が減少した場合でも、花を見栄え良く陳列することができる。
【００２３】
また、図４に示すように、花桶７を花台１の頂部の孔５に嵌め込んだ場合には、上方から花台１を見下ろすようにして花を見ても、花を見栄え良く陳列することができる。
【００２４】
なお、図示は省略してあるが、１つの花台の頂部に他の花台の下端を嵌め込んで重ねることで、複数の花台１を多段に配置してもよい。この場合、一定の占有面積に対して陳列可能な花の量が増える。
【００２５】
このように、一つの花台１に複数の花桶７を取り付けることができ、陳列スペースを立体的に利用することができるので、省スペース性に優れる。また、上述したように花台１は地面、店舗の床面、店舗内のテーブルの天面などに載置でき、例えば店舗のコーナー部分に載置することもできるので、設置場所を選ばない。つまり、設置の自由度が大きい。なお、花台１を店舗のコーナー部分に載置する場合、壁面に向かい合う部分を除く開口部２と頂部の孔５とに花桶７を取り付けるとよい。
【００２６】
＜花桶を花台から外す方法＞  
花台１の側面に取り付けられている花桶７を取り外す場合、傾いた花桶７をほぼ垂直状態に立て直し、その底部を花台１から離れるように一部引き出し、次いで下方に移動して花台の舌片４との掛止を解除することで、花台から外す。
【００２７】
また、花台１の頂部に嵌めこまれている花桶７を外す場合は、花桶７を上方に引き上げて、花桶７を孔５から外す。
【００２８】
＜本発明の変形例＞  
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００２９】
例えば、花台１は、円筒形状に限られず、頂部から下端に向かうにつれて径方向に拡幅してもよい。その場合、花台を安定して立設させることができる。また、１つの花台の上方から他の花台の下端を被せるようにして花台を重ねることが可能であるために、花台を使用しない際には収納空間が少なくても済む。
【００３０】
また、花台１は、下端の側に、前記下端に向かって拡幅する裾部を有していてもよい。その場合、花台を安定して立設させることができる。
【００３１】
また、花台１の側面に形成される開口部２は４つに限られない。また、開口部２は側面の周方向に等間隔に形成されていなくてもよく、開口部２の高さは揃っていなくてもよい。
【００３２】
前述したとおり、花台１は、設置面に立設され、花桶７を脱着可能に取り付ける筒状の部材であって、側面に、内部の空間と連絡する開口部２を有する。また、開口部２の上縁２ａには、下方に向けて突出する舌片４が設けられる。また、花桶７が花台１に取り付けられた状態において、花桶７における側面の一部が開口部２から花台１の内部に挿入され、花桶７の底部が開口部２の下縁２ｂによって支えられ、花桶７における上端の内面に舌片４が掛止される。したがって、花桶７は、花台１に取り付けられた状態において、花台１に対して斜めに傾く。そのため、花は、花桶７において花台１から離れた側に集まるとともに、花台１から遠ざかる方向を向くように傾く。よって、花は全体として顧客の方を向くから、花桶７に入っている花が減少した場合でも、花を見栄え良く陳列することができる。また、花台１は、地面、店舗の床面、店舗内のテーブルの天面などに載置できるので、設置の自由度に優れる。
【００３３】
また、実施形態のように花桶７が花台１に取り付けられた状態において、開口部２の下縁２ｂの幅を花桶７の底部の幅よりも小さくすることにより、花桶７が底部から花台１の内側に落ちないように支持することができる。
【００３４】
また、実施形態のように開口部２を上縁２ａから下縁２ｂに向けて幅が拡幅するように形成することにより、花桶７は、花台１に取り付けられた状態において、花台１の内側に落ち込まないとともに、花台１に対して所定の角度傾かせることができる。
【００３５】
また、実施形態のように開口部２を花台１の周方向に間隔をおいて複数設けることにより、どの方向から見ても花が見栄え良く見えるように花を陳列することができる。
【００３６】
また、実施形態のように花台１の頂部に、花桶７を底部から挿入して嵌め込むための孔５を形成することにより、上方から見ても見栄え良く花を陳列することができる。
【００３７】
また、実施形態のように花台１の下方内部に花桶７を収容する空間をように形成することにより、花台１を使用しない場合には、花桶７を花台１に入れた状態でコンパクトに保管することができる。
【００３８】
また、実施形態のように開口部２の上縁２ａの両端には、上端にフランジ状の鍔部７ａが形成されている花桶７が取り付けられるように、鍔部７ａの輪郭形状に沿う切欠３を形成することにより、鍔部を有する花桶を容易に陳列台花台に取り付けることができる。
【符号の説明】
【００３９】
１  花台
２  開口部
４  舌片                                              
７  花桶
【図１】
2015104625.tif 000003
【図２】
2015104625.tif 000004
【図３】
2015104625.tif 000005
【図４】
2015104625.tif 000006
【図５】
2015104625.tif 000007
【図６】
2015104625.tif 000008